(57)【特許請求の範囲】
【請求項１】
複数の差し込み孔が形成された電話機側の取り付け部と、壁面に固定され前記差し込み孔に係止される複数の差し込み片が形成された壁掛け補助部品とを介して、電話機を壁面に取り付ける電話機取り付け装置において、
前記壁掛け補助部品に、前記差し込み片と同一突出方向に突出させるとともに前記差し込み片より長く突出させた電話機位置決め用リブを形成したことを特徴とする電話機取り付け装置。
【請求項２】
前記壁掛け補助部品の幅方向側部２箇所に、前記電話機位置決め用リブを形成したことを特徴とする請求項１記載の電話機取り付け装置。
【請求項３】
電話機の取り付けと同時に電話機コードの接続を行えるように前記壁掛け補助部品に、電気的接続に必要な電話機コードの余長分を保持するコード保持部を設けるとともに、接続コネクタを保持するコネクタ保持部を設けたことを特徴とする請求項１記載の電話機取り付け装置。
【請求項４】
前記壁掛け補助部品に、電気的接続に必要な電話機コードの余長分を保持するコード保持部を設けるとともに、前記電話機コードの余長分に付勢力をかけるバネ機構を設けたことを特徴とする請求項１記載の電話機取り付け装置。
【請求項５】
電話機の取り付けと同時に電話機コードの接続を行えるように、電話機側の取り付け部と壁掛け補助部品との間に、前記電話機コードを保持した保持ケースと、この保持ケースに沿って摺動しながら前記電話機コードの両端位置を変えるガイドケースを有する電話機コードセットを介在させたことを特徴とする請求項１記載の電話機取り付け装置。
【請求項６】
前記電話機コードセットは、前記ガイドケースにロック爪受け部を設け、電話機コードのロック爪と係止、解除自在であることを特徴とする請求項１記載の電話機取り付け装置。
【請求項７】
電話機の取り付けと同時に電話機コードの接続を行えるように、前記壁掛け補助部品に導通パターンとコネクタを実装したプリント板を実装固定したことを特徴とする請求項１記載の電話機取り付け装置。
【請求項８】
前記プリント板は、合成樹脂による壁掛け補助部品本体成型時に一体成型により形成させたことを特徴とする請求項７記載の電話機取り付け装置。
【請求項９】
複数の差し込み孔が形成された電話機側の取り付け部と、壁面に固定され前記差し込み孔に係止される複数の差し込み片が形成された壁掛け補助部品とを介して、電話機を壁面に取り付ける電話機取り付け装置において、
前記壁掛け補助部品の前記差し込み片を補助部品本体上で移動するプレートに一体形成し、このプレートに補助部品外側から操作可能に設けられたプッシュボタンを連結し、ボタン操作により前記差し込み片を移動させ電話機の着脱を行うように構成したことを特徴とする電話機取り付け装置。
【発明の詳細な説明】
【０００１】
【産業上の利用分野】
本発明は、電話機を壁面に設置する際に用いる電話機取り付け装置に関するものである。
【０００２】
【従来の技術】
電話機の態様は、図１９に示すように、卓上／壁掛け設置が可能な兼用タイプであるのが一般的である。そして、電話機５０を壁面に設置して使用する場合、壁掛け部品である金属又は合成樹脂製の壁掛け補助部品５１を壁面又は壁に設置されたスイッチボックスにネジ等で固定し、この壁掛け補助部品５１を介して固定するようになっている。
この場合、電気的接続は電話機コード５２を用いて行い、電話機コード５２の余長分は適宜に束ねたり、壁掛け補助部品５１内側のリブ等に巻つける等して処理している。
【０００３】
次に、壁掛け補助部品５１と電話機５０の固定は、固定部５１ａの前側に可撓性の爪状引っ掛部５１ｂを形成した壁掛け補助部品５１に、電話機５０を着脱可能に固定することにより行う。こうして壁に固定された電話機は、電話機使用時のハンドセット操作におけるタキツケ、コジリ、引掛かり等の外部からの力に対しては十分な強度を持ち、電話機５０の安定した保持が可能となっている。
【０００４】
【発明が解決しようとする課題】
しかし、上記のごとき電話機５０の壁面への設置方法には、以下のような不具合がある。
先ず、一般に壁掛け補助部品は外観上の体裁を重視するため、電話機より小型にして設置後に電話機に隠れて見えないような構成としている。したがって、取り付けの際に壁掛け補助部品が電話機の裏側に入ってしまい、取付け位置が確認しにくく設置時の取り付け工事作業性が悪い。
【０００５】
次に、電話機を壁面に固定した壁掛け補助部品へ取り付ける際、電話機コードを接続した後に電話機を固定するため、はみ出した電話機コードの余長分を電話機と壁掛け補助部品の間に挟み込んだり、無理な押し込みによる電話機コードの劣化により断線等の障害を起こす可能性がある。
【０００６】
さらに、電話機を壁掛け補助部品から外す場合、電話機を固定している壁掛け補助部品のロック部を目視による確認ができないため取り外し箇所を確認しにくい。また、電話機の保持力を十分にするために、ロック部のバネ強度を強くすることになるが、そのためロック部から電話機を外し難い等の問題があり、取り外し作業性が悪い。
また、上記のごとく壁掛け補助部品のロック部からの取り外しが困難なため、ロックを外すことばかりに気を取られ作業中に電話機の保持がおろそかになり、ロックが外れた時に誤って電話機を落下させてしまうおそれもある。
【０００７】
本発明は上記不具合を解決すべく提案されるもので、電話機を簡便に壁面に取り付け、さらに取り外すことができる電話機取り付け装置を提供することを目的としたものである。
【０００８】
【課題を解決するための手段】
本発明は、上記不具合を解決すべく、
１．複数の差し込み孔が形成された電話機側の取り付け部と、壁面に固定され前記差し込み孔に係止される複数の差し込み片が形成された壁掛け補助部品とを介して、電話機を壁面に取り付ける電話機取り付け装置において、前記壁掛け補助部品に、前記差し込み片と同一突出方向に突出させるとともに前記差し込み片より長く突出させた電話機位置決め用リブを形成した。
２．前記壁掛け補助部品の幅方向側部２箇所に、前記電話機位置決め用リブを形成した。
３．電話機の取り付けと同時に電話機コードの接続を行えるように前記壁掛け補助部品に、電気的接続に必要な電話機コードの余長分を保持するコード保持部を設けるとともに、接続コネクタを保持するコネクタ保持部を設けた。
４．前記壁掛け補助部品に、電気的接続に必要な電話機コードの余長分を保持するコード保持部を設けるとともに、前記電話機コードの余長分に付勢力をかけるバネ機構を設けた。
５．電話機の取り付けと同時に電話機コードの接続を行えるように、電話機側の取り付け部と壁掛け補助部品との間に、前記電話機コードを保持した保持ケースと、この保持ケースに沿って摺動しながら前記電話機コードの両端位置を変えるガイドケースを有する電話機コードセットを介在させた。
６．前記電話機コードセットは、前記ガイドケースにロック爪受け部を設け、電話機コードのロック爪と係止、解除自在とした。
７．電話機の取り付けと同時に電話機コードの接続を行えるように、前記壁掛け補助部品に導通パターンとコネクタを実装したプリント板を実装固定した。
８．前記プリント板は、合成樹脂による壁掛け補助部品本体成形時に一体成形により形成させた。
９．複数の差し込み孔が形成された電話機側の取り付け底と、壁面に固定され前記差し込み孔に係止される複数の差し込み片が形成された壁掛け補助部品とを介して、電話機を壁面に取り付ける電話機取り付け装置において、前記壁掛け補助部品の前記差し込み片を補助部品本体上で移動するプレートに一体形成し、このプレートに補助部品外側から操作可能に設けられたプッシュボタンを連結し、ボタン操作により前記差し込み片を移動させ電話機の着脱を行うように構成した。
【０００９】
【作用】
前記第１項では、補助部品に位置決めリブを設けてあるので、電話機を固定する時に取付け位置はリブを基準にして設置作業を行う。
前記第２項では、２箇所にリブが形成されているので、２箇所のリブを基準にして電話機の取り付け作業を行う。
前記第３項では、コード保持部により電話機コードの余長分が保持され、さらにコネクタ保持部が設けられているので、電話機と補助部品とに電話機コードを挟み込まれず、さらにコネクタ接続を迅速にして作業を行う。
前記第４項では、電話機への電気的接続に必要な電話機コードの余長分を引っ張って電話機コードの挟み込みをなくして作業を行う。
前記第５項では、電話機コードセットを介して、余長の少ない専用コードを用い電話機コードを手で支えることなく、作業を行う。
前記第６項では、ロック爪とロック爪受け部とにより電話機コードセットと電話機及びスイッチボックスが接続され、電話機設置作業を行う。
前記第７項では、プリント板によって電話機固定の際に電気的接続をワンタッチで行う。
前記第８項では、前記の壁掛け補助部品が合成樹脂成型品の場合において、前記プリント板を一体成型により形成する。
前記第９項では、壁掛け補助部品に電話機を固定する時、プッシュボタン操作で電話機固定部のロック／ノンロックを行う。
【００１０】
【実施例】
以下、図面を参照しながら、本発明の実施例を詳細に説明していく。
図１は本発明の第１実施例を示したもので、図１Ａは電話機側の取り付け部の斜視図であり、図１Ｂは壁面に固定する壁掛け補助部品（以下、取り付け補助部品という）の斜視図である。電話機側の取り付け部１は図示していない電話機本体の裏面に固定されるもので、図示のように後述する取り付け補助部品との接面部１ａ上下に複数の孔２が形成されるとともに、接面部１ａ両縁にも孔３が形成されている。
【００１１】
一方、取り付け補助部品４は壁面との接面部４ａから電話機側に突出壁を形成するとともに、この突出壁に前記孔２に適合する複数のボス（差し込み片）５及び前記孔３に適合するリブ６が一体に形成されている。このうち、ボス５の先端には係止用爪を形成し、孔２に差し込まれたボス５が係止されるようになっている。また、リブ６は目視しやすく接触がしやすいように突出程度を大きくしてある。
なお、電話機側の取り付け部１及び取り付け補助部品４は相互の嵌め合わせが容易に行えるように、合成樹脂等の弾性のある材料で形成されることがのぞましい。また、孔２、孔３の位置、数は実施例に限定されるものでないことはいうまでもない。
【００１２】
このように構成されているので、電話機を壁面に取り付けるには、予め壁面に固定されている取り付け補助部品４に、電話機に固定されている電話機側の取り付け部１を対向させる。そして、リブ６を位置決め用ガイドとして電話機側の取り付け部１の孔３に、目視や指の接触によってはめ込む。やがて、ボス５も溝２に到達するのではめ込み固定する。
したがって、電話機の取り付け位置を容易に確認でき、しかも取り付け位置を確認しながら適正かつ確実な電話機の壁面への固定ができる。
【００１３】
図２〜図４は本発明の第２実施例を示したもので、第１実施例と対応する箇所には同一符号を付した（以下の実施例についても同様）。本実施例は、取り付け補助部品４に電話機コードを保持させ、さらにその余長分を巻きつけることができるように構成している。
図２Ｂは図２Ａの一部拡大斜視図で、電話機コードを巻き付けた状態を示したものである。図示のように、壁面との接面部４ａ内側に電話機コード７先端のコネクタを保持するコネクタ保持部８を立設させ、その近傍に緩み防止リブ９を立設させている。なお、８ａは、電話機コード７先端のコネクタである。
【００１４】
さらに、接面部４ａ内側に電話機コード７の余長分を巻きつけるリブ１０ａ、１０ｂを対向するように配設してある。
なお、１１は取り付け補助部品４を壁面に固定するネジ止め用孔であり、１２はスイッチボックスから電話機コード７を取り出す取り出し口である。他の構成については第１実施例と同様である。
【００１５】
本実施例はこのように構成してあるので、第１実施例と同様に電話機の取り付け位置を容易に確認でき、しかも取り付け位置を確認しながら適正かつ確実な電話機の壁面への固定ができる他、以下のような効果がある。
壁面１３に取り付け補助部品４を固定するとともに壁面１３のスイッチボックス１４内の接続部１４ａへ電話機コード７を接続後、電話機１５側との接続に必要な分だけ残してリブ１０ａ、１０ｂに余長分を巻きつけておくことができる（図３）。
【００１６】
コネクタ保持部８には、電話機コード７を通す溝８ｂが形成されているので、コネクタ８ａを上部に載置するとともに電話機コード７を安定的に保持させることができる。図３は、このようにして電話機１５を壁面に取り付けた状態を示したものである。
この場合、電話機コード７先端はコネクタ保持部８にセットする時に若干弛ませておくようにすると、電話機１５を取り付け補助部品４から外す時に、電話機コード７の弛ませた部分が伸びて、電話機１５からコネクタ８ａを手で容易に外すことができる。図４は電話機コード７が伸びた状態を示している。
【００１７】
図５〜図７は本発明の第３実施例を示したもので、取り付け補助部品に電話機コードの余長分を引っ張るバネ機構を設けたものである。
図示のように、壁面との接面部４ａ内側にモジュラープラグ接続部１６を先端に有する電気コード７が配設されている。このモジュラープラグ接続部１６には電話機コード７が若干弛んだ状態で連続しており、この電話機コード７の弛んだ部分はバネ機構部１７により保持されている。
【００１８】
バネ機構部１７は、遊動係止具１９と、この遊動係止具１９と取り付け補助部品本体の係止部４ｂとに掛けて張設したバネ２０とを有している。遊動係止具１９は、所定方向（例えば、取り付け補助部品本体長さ方向）に往復動できるようになっており、バネ２０はこの遊動係止具１９を取り付け補助部品本体の係止部４ｂ方向に引っ張るように付勢されている。
【００１９】
そこで、あらかじめ電話機コード７余長分の大半をリブ１０に巻きつけておき電話機との接続に必要な分を残しておく。そして、電話機コード７先端近傍を遊動係止具１９に引っ掛けておく。この状態から前記各実施例と同様に電話機１５を取り付け補助部品４に取付けるのであるが、バネ機構１７により電話機コード７の弛ませた分が常に調整されるので余長が無くなり、電話機コード７の処理に苦慮することもなく電話機１５と取り付け補助部品４との間に挟み込まれることを防止できる。図６は、こうして作業効率よく電話機を取り付けた状態を示している。
【００２０】
電話機１５を外す時も同様で、電話機１５が取り付け補助部品４から外されると図７に示すように、バネ機構１７に抗して電話機コード７が伸びる。したがって、電話機１５を容易に外すことができるとともに、電話機１５とモジュラープラグ接続部１６との接続を容易に外すこともできる。
なお、電話機の取り付け位置を容易に確認でき、しかも取り付け位置を確認しながら適正かつ確実な電話機の壁面への固定ができる効果については、前記各実施例と同様である。
【００２１】
図８〜図９は本発明の第４実施例を示したもので、これは取り付け専用電話機の電話機コードとこの電話機コードを操作するガイドケースを用いた電話機コードセットに関するものである。
図８Ａに示すように、電話機コード７は接続に必要な最短の長さを有する専用部品であり、電話機コード７は保持ケース２１に一端を固定されるとともに、他端は保持ケース２１の外側を摺動自在なガイドケース２２に固定されている。また、ガイドケース２２の一端には壁側接続端子との接続端子２３が着脱自在に設けられている。図８Ｂは図８ＡのＡ矢視図であり、接続端子２３のロック爪２３ａをガイドケース２２のロック爪押さえ２２ａで係止するようになっている。
【００２２】
そこで、電話機を壁面に取り付けるには、先ず電話機コード７を電話機コードセットを介して取り付け補助部品側または電話機側へ接続するため、電話機コード７の接続部が相手側の接続位置に合うように調整する。そのため、ガイドケース２２を保持ケース２１に沿ってスライドさせ、相手側の接続位置に合うように調整する。
その後、電話機を取り付け補助部品に固定すると電話機コード７も接続され壁掛け設置が完了する。図９は、このようにして電話機を取り付けている状態を示した斜視図である。電話機を取り外す場合は、電話機を手前に引っ張ると取り付け補助部品から外れるとともに、電話機コード７の弛ませた部分が伸びる。したがって、電話機と取り付け補助部品との間が大きく開くので、電話機コード７を手で支えたり、電話機コード７を電話機と取り付け補助部品４との間に挟み込んでしまうことなく、電話機コード７のモジュラープラグ接続部１６のロック部を手で外せば容易に行うことができる。
【００２３】
なお、図８Ｃは本実施例の変形例を示したもので、電話機と壁面との接続位置に応じて選択使用できるように屈曲部を有する電話機コードセットとしたものである。
電話機の取り付け位置を容易に確認でき、しかも取り付け位置を確認しながら適正かつ確実な電話機の壁面への固定ができる効果については、前記各実施例と同様である。
【００２４】
図１０〜図１２は本発明の第５実施例を示したもので、プリント板を実装した取り付け補助部品の斜視図である。つまり、本実施例では第４実施例と異なり電話機コードや電話機コードセットを使用せず、プリント板を用いたものである。
図示のように接面部４ａ内側の電話機コードの取り出し口１２近傍に一対のプリント板ガイド２４を配設するとともに、プリント板引っかけ爪２５を設ける。一方、プリント板２６は、中央に基板２６ａを設けるとともに、この基板２６ａの両端に端子２６ｂ，２６ｃが設けられている。また、基板２６ａには電気的接続に必要な導通パターン２６ｄが形成されている。
なお、プリント板２６は、基板２６ａにより高さ寸法が一義的に決まるため、端子２６ｂ，２６ｃにロック用爪は設けていない。したがって、プリント板２６の抜き取り時にもロック外し作業の必要がない。他の構成については、第１実施例と同様である。
【００２５】
このように構成してあるので、電話機の取り付け補助部品への取り付け、電気的接続をワンタッチで簡便に行うことができる。図１１は、電話機１５を壁１３に取り付けた状態を示したもので、電話機側の取り付け部１の孔２に取り付け補助部品のボス５を嵌め込むとともに、端子２６ａを介してあらかじめ壁側に接続されている接続コネクタ部２６の端子２６ｂを電話機側に接続することにより、簡便に作業を行うことができる。
図１２は、電話機を取り外す状態を示したもので、同様にしてボス５と端子２６ｂから簡便に取り外すことができる。
電話機の取り付け位置を容易に確認でき、しかも取り付け位置を確認しながら適正かつ確実な電話機の壁面への固定ができる効果については、前記各実施例と同様である。
【００２６】
図１３〜図１５は本発明の第６実施例を示したもので、第５実施例の変形例ともいうべきものである。この実施例は取り付け補助部品に接続コネクタ部、導通パターン、壁側への接続部等を一体に形成したものである。
つまり、取り付け補助部品を合成樹脂で成型する時、電話機側及び壁側の接続部との接続に必要な導通パターン（金属板）を一体成型することにより形成させる。壁側への接続部は、取り付け補助部品を壁に固定すると接続される位置に設けておき、電話機側への接続部は電話機を壁掛け補助部品に取り付けた時の電話機側接続部の位置に合わせて設けておく。
【００２７】
このように構成してあるので、電話機の取り付け補助部品への取り付け、電気的接続をワンタッチで簡便に行うことができる。図１４は、電話機１５を壁１３に取り付けた状態を示したもので、電話機１５側の取り付け部１の孔２に取り付け補助部品４のボス５を嵌め込むとともに、あらかじめ壁側に接続されているプリント板２６の端子２６ｂを電話機側に接続することにより、簡便に作業を行うことができる。
図１５は、電話機を取り外す状態を示したもので、同様にしてボス５と端子２６ｂから簡便に取り外すことができる。また、プリント板２６は取り付け補助部品と一体成型により形成できるので、生産効率の向上を図れる。
電話機の取り付け位置を容易に確認でき、しかも取り付け位置を確認しながら適正かつ確実な電話機の壁面への固定ができる効果については、前記各実施例と同様である。
【００２８】
図１６〜図１８は、本発明の第７実施例を示したもので、本実施例は電話機と壁掛け補助装置との脱着を容易にするため、脱着操作具を設けたものである。
図示のように、取り付け補助部品４に設けられるボスには、Ａ方向にスライド可能な第１のプレート２７ａに一体形成されたボス５ａと、図１６には表れていない第２のプレートに一体形成されたボス５ｂとがある。そして、これらプレートに接合するとともに係止部を介して両プレートを移動させる操作プレート２８が設けられ、この操作プレート２８は取り付け補助部品４本体の外側に設けたプッシュボタン２９により動作するようになっている。
【００２９】
このように構成してあるので、図１７に示すごとく電話機１５を壁１３に取り付けた後、電話機１５を取り外す場合はプッシュボタン２９（図１６）を押すと操作プレート２８が移動し、係合部３０を介して第１のプレート２７ａ及び第２のプレート２７ｂを内側に引く（図１８）。
すると、ボス５ａ，５ｂは係合していた孔２から外れ、電話機１５は容易に外すことができる。再び、プッシュボタン２９を押すと操作プレート２８の移動により第１のプレート２７ａ及び第２のプレート２７ｂは元の位置（外側位置）（図１７）に戻る。したがって、ボス５ａ，５ｂは孔２に係合しロック可能状態になる。
【００３０】
本実施例によれば、プッシュボタン２９の操作により電話機を固定するボス５ａ，５ｂを動作させ、電話機固定部のロック及びロック解除を容易に行うことができ、電話機１５の取り付け、取り外し作業の効率化を図ることができるとともに、電話機１５を十分に支えながら安全な作業を実現できる。
電話機の取り付け位置を容易に確認でき、しかも取り付け位置を確認しながら適正かつ確実な電話機の壁面への固定ができる効果については、前記各実施例と同様である。
【００３１】
【発明の効果】
請求項１によれば、予め壁面に固定されている取り付け補助部品に、電話機に固定されている取り付け部を対向させ、リブを位置決め用ガイドとして取り付け部の孔に目視や指の感触によってはめ込むと、ボスが溝に到達して固定できる。
したがって、電話機の取り付け位置を容易に確認でき、しかも取り付け位置を確認しながら適正かつ確実な電話機の固定ができる。
請求項２によれば、２箇所にリブが形成されているので、電話機の取り付け位置が容易に分かり作業の熟練さや力等を要することなく迅速かつ容易な作業を行える。
請求項３によれば、コード保持部により電話機コードの余長分が保持され、さらにコネクタ保持部が設けられているので、電話機と取り付け補助部品との間に電話機コードを挟み込むことによる断線等をなくしながら電話機の取り付けと同時に電話機コードの接続ができ設置作業を迅速かつ円滑に行える。したがって、不完全な電話機コードの接続による通話障害等をなくし取り付け工事の信頼性を向上させることができる。
請求項４によれば、電話機への電気的接続に必要な電話機コードの余長分を引っ張って電話機コードの挟み込みをなくし、設置工事を円滑に行える。
請求項５によれば、電話機コードセットのガイドケースを保持ケースに沿ってスライドさせ、相手側の接続位置に合うように調整しておき、電話機を取り付け補助部品に固定すると同時に電話機コードも接続されるので、余長の少ない電話機コードを手で支えることなく、電話機コードの挟み込みを防止して円滑な設置工事ができる。
請求項６によれば、ロック爪とロック爪受け部とにより電話機コードセットと電話機及びスイッチボックスが接続され、電話機の電気的接続を容易に行うことができる。
請求項７によれば、プリント板によって電話機固定の際に電気的接続をワンタッチで確実にできる。
請求項８によれば、前記の取り付け補助部品が合成樹脂成型品の場合において、前記プリント板を一体成型により形成するので生産効率の向上を図れる。
請求項９によれば、取り付け補助部品に電話機を固定する時あるいは取り外す時、差し込み片を移動させるプッシュボタンを設けてあるので、電話機固定部のロック／ノンロックをボタン操作で行い、電話機の脱着を容易にするとともに、簡便な操作により設置作業時の安全性も向上させることができる。
【図面の簡単な説明】
【図１】本発明の第１実施例に係る電話機側の取り付け部の斜視図、取り付け補助部品の斜視図である。
【図２】本発明の第２実施例に係る取り付け補助部品の斜視図、同使用状態を示す一部拡大斜視図である。
【図３】同電話機を壁面に取り付けた状態を示した断面図である。
【図４】同電話機コードが伸びた状態を示した断面図である
【図５】本発明の第３実施例に係る取り付け補助部品の斜視図である。
【図６】同電話機を取り付けた状態を示した断面図である。
【図７】同電話機コードが伸びた状態を示した断面図である
【図８】本発明の第４実施例に係るガイドケースの斜視図、同部分図、ガイドケースの変形例の斜視図である。
【図９】同電話機を取り付けた状態を示した斜視図である。
【図１０】本発明の第５実施例に係る取り付け補助部品の斜視図である。
【図１１】同電話機を取り付けた状態を示した断面図である。
【図１２】同電話機を取り外す状態を示した断面図である。
【図１３】本発明の第６実施例に係る取り付け補助部品の斜視図、部分斜視図である。
【図１４】同電話機を取り付けた状態を示した断面図である。
【図１５】同電話機を取り外す状態を示した断面図である。
【図１６】本発明の第７実施例に係る取り付け補助部品の斜視図である。
【図１７】同電話機を取り付けた状態を示した断面図である。
【図１８】同電話機を取り外す状態を示した断面図である。
【図１９】従来例の取り付け状態を示した斜視図である。
【符号の説明】
１  取り付け部（電話機側）
１ａ  接面部
２  孔
３  孔
４  取り付け補助部品
４ａ  接面部
５  ボス
６  リブ
【図１】
0003553679.tif 000002
【図２】
0003553679.tif 000003
【図３】
0003553679.tif 000004
【図４】
0003553679.tif 000005
【図５】
0003553679.tif 000006
【図６】
0003553679.tif 000007
【図７】
0003553679.tif 000008
【図８】
0003553679.tif 000009
【図９】
0003553679.tif 000010
【図１０】
0003553679.tif 000011
【図１１】
0003553679.tif 000012
【図１２】
0003553679.tif 000013
【図１３】
0003553679.tif 000014
【図１４】
0003553679.tif 000015
【図１５】
0003553679.tif 000016
【図１６】
0003553679.tif 000017
【図１７】
0003553679.tif 000018
【図１８】
0003553679.tif 000019
【図１９】
0003553679.tif 000020